(57)【要約】【課題】キャリーオンバッグを単独で使用するときでも、通し部が外部の突起物などに引っかかることのないキャリーオンバッグを提供する【解決手段】バッグ本体下部１２０に形成された通し部１６０に、キャリーケース２００のキャリーハンドル２１０を差し込み、キャリーケース２００の上にバッグを載せ、キャリーケース２００とバッグとを一体として移動できるキャリーオンバッグ１００であって、通し部１６０とバッグ本体下部１２０とを着脱可能に留めるファスナー１５４を備える。【選択図】図１
2017079975.tif 000002
【特許請求の範囲】
【請求項１】
バッグ本体に形成された通し部に、キャリーケースのキャリーハンドルを差し込み、キャリーケースの上にバッグを載せ、キャリーケースとバッグとを一体として移動できるキャリーオンバッグにおいて、
前記通し部と前記バッグ本体とを着脱可能に留める留め具を備えることを特徴とするキャリーオンバッグ。
【請求項２】
前記通し部が、
収容袋を備えることを特徴とする請求項１記載のキャリーオンバッグ。
【請求項３】
前記通し部が、
少なくとも一面に皮革素材を備えることを特徴とする請求項１記載のキャリーオンバッグ。
【請求項４】
メッシュ素材であることを特徴とした請求項１記載のキャリーオンバッグ。
【請求項５】
前記留め具が、
ファスナーであることを特徴とする請求項１記載のキャリーオンバッグ。
【請求項６】
内容物を出し入れするための開口部と、
前記バッグ本体の外周に設けられ、前記バッグ本体内に入れ込むように前記開口部を折りたたんだときに生じる折り目部分が形成する第二の開口部を閉じるための開口留め具と、
を備えることを特徴とした請求項１記載のキャリーオンバッグ。
【請求項７】
前記開口留め具が、
ファスナーであることを特徴とする請求項６記載のキャリーオンバッグ。
【発明の詳細な説明】
【技術分野】
【０００１】
本発明は、キャリーオンバッグに関し、特にバッグ本体に形成された通し部に、キャリーケースのキャリーハンドルを差し込み、キャリーケースの上にバッグを載せ、キャリーケースとバッグとを一体として移動できるキャリーオンバッグに関する。
【背景技術】
【０００２】
従来、ブリーフケースなどの一部に形成された通し部にキャリーケースのキャリーハンドルを差し込み、キャリーケースと一体として移動できる、いわゆるキャリーオンバッグが知られている。
【０００３】
最近は旅行以外でも日常的にキャリーバッグを使用する人も増えてきており、元々バッグ単体で用いられることが前提として作られているようなバッグであっても、通し部が設けられたものも増えてきている（たとえば、特許文献１参照）。
【先行技術文献】
【特許文献】
【０００４】
【特許文献１】特開２０１５−１５０２９２号公報
【発明の概要】
【発明が解決しようとする課題】
【０００５】
しかし、キャリーオンバッグであっても、常にキャリーケースの上に載せて使用するとは限らず、バッグ単独で使用することもある。このようなときは、キャリーハンドルを通す通し部は不要な存在となってしまうという問題がある。さらに、この通し部は、キャリーオンバッグを持ち運ぶ際に、外部の突起物などに引っかかり、バックの損傷だけでなく巻き込み事故につながるという問題もある。
【０００６】
本発明はこのような点に鑑みてなされたものであり、キャリーオンバッグを単独で使用するときでも、通し部が外部の突起物などに引っかかることのないキャリーオンバッグを提供することを目的とする。
【課題を解決するための手段】
【０００７】
本発明では上記問題を解決するために、バッグ本体に形成された通し部に、キャリーケースのキャリーハンドルを差し込み、キャリーケースの上にバッグを載せ、キャリーケースとバッグとを一体として移動できるキャリーオンバッグにおいて、前記通し部と前記バッグ本体とを着脱可能に留める留め具を備えることを特徴とするキャリーオンバッグが提供される。
【発明の効果】
【０００８】
本発明のキャリーオンバッグによれば、バッグに設けられた通し部と、バッグ本体とを着脱可能に留める留め具を備えるので、通し部がバッグ本体と着脱可能となる。したがって、通し部をバッグ本体から取り外しておけば、キャリーオンバッグを単独で使用する場合にでも、通し部が外部の突起物などに引っかかり、バックの損傷だけでなく巻き込み事故につながる危険を避けることができる。
【図面の簡単な説明】
【０００９】
【図１】本実施の形態に係るキャリーオンバッグの構成を示す図である。
【図２】カバーをバッグ本体下部に固定した状態を示す拡大図である。
【図３】カバーの下部の端辺のファスナーを開いた状態を示す拡大図である。
【図４】キャリーオンバッグの通し部にキャリーハンドルを挿入した状態を示す図である。
【図５】キャリーオンバッグから取り外した状態のカバーを示す図である。
【図６】カバーを取り外した状態のキャリーオンバッグを示す図である。
【図７】バッグ本体上部をバッグ本体下部の内側に折りたたんだ状態を示す開口部の拡大図である。
【図８】バッグ本体上部をバッグ本体下部の内側に折りたたんだ状態のキャリーオンバッグの全体図である。
【発明を実施するための形態】
【００１０】
以下、本発明の実施の形態を、図面を参照して詳細に説明する。
図１は、本実施の形態に係るキャリーオンバッグの構成を示す図である。
図１に示すように、キャリーオンバッグ１００は、バッグ本体上部１１０、バッグ本体下部１２０、底部１３０、把持部１４０、およびカバー１５０で構成されている。
【００１１】
バッグ本体上部１１０は、開口部１１１、およびファスナー１１２を備えている。開口部１１１は、キャリーオンバッグ１００の収容物を出し入れするためのものであり、ファスナー１１２は、開口部１１１に縫いつけられており、開口部１１１を開閉するために設けられている。
【００１２】
バッグ本体下部１２０は、開口部１２１、およびファスナー１２２を備え、把持部１４０が固定されている。開口部１２１は、バッグ本体上部１１０をキャリーオンバッグ１００内に折り込んだときに、第二の開口部として機能し、ファスナー１２２は、第二の開口部として機能する開口部１２１を開閉するために設けられている。詳しくは後述する。
【００１３】
カバー１５０は、収容袋１５１、開口部１５２、ファスナー１５３、１５４、１５５、および皮革１５６を備えている。
【００１４】
カバー１５０は、２枚の布を重ねて周囲を縫い合わせたものであり、開口部１５２を介して収容袋１５１内に収容物を入れることが出し入れすることができる。開口部１５２は、ファスナー１５３によって開閉することができる。また、カバー１５０の左右、および下部の端辺は、ファスナー１５４、１５５によってバッグ本体下部１２０に固定されている。
【００１５】
バッグ本体上部１１０、バッグ本体下部１２０、底部１３０、およびカバー１５０は、メッシュ素材で構成されている。これにより、キャリーオンバッグ１００が、通気性に富み、かつ軽量化が図られる。
【００１６】
また、カバー１５０の表面に皮革１５６が縫いつけられており、キャリーオンバッグ１００を構成するメッシュ素材とのコントラストにより、審美性が高まるほか、メッシュ素材の強度も補強する。
【００１７】
図２は、カバーをバッグ本体下部に固定した状態を示す拡大図である。
図２で示すように、カバー１５０は、バッグ本体下部１２０にファスナー１５４、１５５で固定される。カバー１５０の左右、および下部の端辺がファスナー１５４、１５５によって固定されているが、カバー１５０の上辺は固定されていないので、バッグ本体下部１２０とカバー１５０の上辺とで開口部１５７を形成し、バッグ本体下部１２０とカバー１５０との間に収容物を入れて収容袋として利用することができる。
【００１８】
図２の状態からファスナー１５５を開くと、バッグ本体下部１２０とカバー１５０との間に筒状の空洞が形成される。筒状の空洞が形成された状態を図３を用いて説明する。
【００１９】
図３は、カバーの下部の端辺のファスナーを開いた状態を示す拡大図である。
図３に示すように、バッグ本体下部１２０にファスナー１５４で固定されたカバー１５０上部には、開口部１５７が形成される。さらに、ファスナー１５５を開いた状態になることにより、カバー１５０下部にも開口部１５８が形成される。形成された開口部１５７は、開口部１５８までは貫通しており、バッグ本体下部１２０とカバー１５０とが筒状の空洞である通し部１６０を形成する。この通し部１６０にキャリーバッグのハンドルを通すことによりキャリーオンバッグとして機能する。
【００２０】
図４は、キャリーオンバッグの通し部にキャリーハンドルを挿入した状態を示す図である。
図４に示すように、キャリーケース２００は、キャリーハンドル２１０、およびキャリーケース本体２２０を備えている。
【００２１】
開口部１５８から開口部１５７方向に向かって、伸ばしたキャリーハンドル２１０をキャリーオンバッグ１００に形成された通し部１６０に挿入する。キャリーオンバッグ１００は、底部１３０がキャリーケース本体２２０の上面に接した状態で一体化される。これにより、キャリーハンドル２１０を持ってキャリーケース２００を移動させるとき、キャリーオンバッグ１００がキャリーケース２００とともに移動可能となる。
【００２２】
この状態のカバー１５０は、ファスナー１５４を開くことにより、バッグ本体下部１２０から切り離して独立した状態にすることができる。
【００２３】
図５は、キャリーオンバッグから取り外した状態のカバーを示す図である。
図５に示すように、キャリーオンバッグ１００から取り外したカバー１５０は、ファスナー１５３を開くことによって、開口部１５２を介して収容袋１５１に収容物を出し入れすることができる。
【００２４】
このようにカバー１５０は、ファスナー１５４、１５５を開くことによって容易にキャリーオンバッグ１００から取り外すことが出来るので、ファスナー１５４を閉じてキャリーオンバッグ１００の一部としてだけではなく、独立したポーチとしても使用することが可能となる。
【００２５】
図６は、カバーを取り外した状態のキャリーオンバッグを示す図である。
図６に示すように、ファスナー１５４、１５５を外し、カバー１５０をバッグ本体下部１２０より取り外すことにより、カバー１５０に外部の突起物が引っかかる危険がなくなるので、バッグ本体の破損や事故につながる問題が解消される。
【００２６】
ところで、バッグは大きければ大きいほど内容物をたくさん入れることができる点で有用だが、内容物の量が少ないときまで大きなバッグを持つときは、その大きなバッグ自体が荷物になるので邪魔なだけでなく不合理であるといえる。
【００２７】
また一方で、小さいバッグに大きいものや大量のものを入れようと思ったときは、別の袋を新たに用意するか、バッグの開口部に設けられた別部材により、開口部から飛び出た収容物を覆い隠してこぼれないようにするか、バッグ本体の中間部分に設けられた撓み部分を伸ばすことによって、バッグ本体の容量を増やすなど、様々な方法がとられてきた。
【００２８】
しかし、別の袋を用意することは大変であることが多い上に、常に別の袋を持っているとも限らないという問題がある。また、バッグの開口部に設けられた別部材により、開口部から飛び出た収容物を覆い隠してこぼれないようにする方法だと、バッグ全体のシルエットが変わってしまうので、バッグが持つ審美性を著しく害してしまうという問題がある。さらに、バッグ本体の中間部分に設けられた撓み部分を伸ばすことによって、バッグ本体の容量を増やす方法だと、収容物がバッグ内に入った状態で伸縮をするときに不便であるという問題がある。より具体的には、内容物を入れた状態でバッグ本体の中間部分を縮めようとすると、内容物が撓みを邪魔をして縮めにくいという問題があり、内容物を入れた状態でバッグ本体の中間部分を伸ばそうとすると、すでにパッキングした収容物が崩れてしまい、再パッキングをしなければならないという問題がある。
【００２９】
そこで本願発明では、キャリーオンバッグ１００における本体の途中にファスナー１２２を設け、そのファスナー１２２が設けられた部分より上の部分であるバッグ本体上部１１０を、ファスナー１２２が設けられた部分より下の部分であるバッグ本体下部１２０の内側へ折り込む構成としている。
【００３０】
以下、バッグ本体上部１１０を、バッグ本体下部１２０の内側へ折り込んだ状態について図面を使って説明する。
【００３１】
図７は、バッグ本体上部をバッグ本体下部の内側に折りたたんだ状態を示す開口部の拡大図である。
【００３２】
図７で示すように、バッグ本体上部１１０をバッグ本体下部１２０内側に折りたたんだとき、折り込んだときに生じる折り目部分が形成する新たな開口部１２１にファスナー１２２が設けられた状態となる。これにより、新たな開口部１２１もファスナー１２２で開閉することができる。
【００３３】
また、バッグ本体上部１１０をバッグ本体下部１２０の内側に折りたたむ動作は、バッグ内に内容物が入った状態であっても比較的簡単にできる。つまり、バッグ内に内容物が少なく、バッグ本体上部１１０をバッグ本体下部１２０の内側に折りたたむときは、折りたたんだバッグ本体上部１１０が内容物に干渉することは少なく、また、バッグ内に内容物が多くなってきて、折りたたんだバッグ本体上部１１０をバッグ本体下部１２０の内側から戻すときは、折りたたんでいたバッグ本体上部１１０が内容物に干渉しても、折りたたんだ状態から戻す作業は比較的容易にできる。
【００３４】
図８は、バッグ本体上部をバッグ本体下部の内側に折りたたんだ状態のキャリーオンバッグの全体図である。
【００３５】
図８に示すように、同一素材で形成されたキャリーオンバッグ１００における本体の途中にファスナー１２２を設けた構成としているので、不図示のバッグ本体上部１１０を折り込んだ状態と、折り込んでいない状態とで、キャリーオンバッグ１００全体として見たときのフォルムが崩れない。また、バッグ本体上部１１０を折り込んでもファスナー１２２が設けられるので、折り込んだか否かに関係なく開口部を開閉できる。
【００３６】
なお、通し部１６０を形成するカバー１５０と、バッグ本体下部１２０とをファスナー１５４で固定する旨の説明をしたが、条件を満たせばファスナーだけに限らず、ボタンや面ファスナーなどの他の留め具を用いてもよい。
【００３７】
また、カバー１５０の表面に皮革１５６を縫いつける旨の説明をしたが、裏表両面に縫いつけてもよいし、カバー１５０の片面のみに皮革１５６を縫いつけた上で、カバー１５０を両面どちらでもバッグ本体下部１２０に固定できる構成としてもよい。
【符号の説明】
【００３８】
１００  キャリーオンバッグ
１１０  バッグ本体上部
１１１，１２１，１５２，１５７，１５８  開口部
１１２，１２２，１５３，１５４，１５５  ファスナー
１２０  バッグ本体下部
１３０  底部
１４０  把持部
１５０  カバー
１５１  収容袋
１５６  皮革
１６０  通し部
２００  キャリーケース
２１０  キャリーハンドル
２２０  キャリーケース本体
【図１】
2017079975.tif 000003
【図２】
2017079975.tif 000004
【図３】
2017079975.tif 000005
【図４】
2017079975.tif 000006
【図５】
2017079975.tif 000007
【図６】
2017079975.tif 000008
【図７】
2017079975.tif 000009
【図８】
2017079975.tif 000010